(57)【要約】【課題】ユーザの位置や移動に応じた通信品質を表示する。【解決手段】通信端末装置は、自端末装置の位置を示す端末位置情報を取得する端末位置情報取得部と、前記端末位置情報取得部が第１時刻に取得した前記端末位置情報である第１端末位置情報と、前記第１時刻に取得した自端末装置の加速度を示す加速度情報又は前記第１時刻よりも過去の時刻である第２時刻から前記第１時刻までの自端末装置の変位を示す変位情報とに基づいて、前記第１時刻よりも後の時刻である第３時刻の自端末装置の位置である第３位置を予測する予測部と、前記予測部が予測した前記第３位置と、前記第１端末位置情報とに基づいて、前記第１端末位置情報が示す位置の通信品質を示す情報を表示部に表示させる表示制御部と、を備える。【選択図】図１
2018078504.tif 000002
【特許請求の範囲】
【請求項１】
自端末装置の位置を示す端末位置情報を取得する端末位置情報取得部と、
前記端末位置情報取得部が第１時刻に取得した前記端末位置情報である第１端末位置情報と、前記第１時刻に取得した自端末装置の加速度を示す加速度情報又は前記第１時刻よりも過去の時刻である第２時刻から前記第１時刻までの自端末装置の変位を示す変位情報とに基づいて、前記第１時刻よりも後の時刻である第３時刻の自端末装置の位置である第３位置を予測する予測部と、
前記予測部が予測した前記第３位置と、前記第１端末位置情報とに基づいて、前記第１端末位置情報が示す位置の通信品質を示す情報を表示部に表示させる表示制御部と、
を備える通信端末装置。
【請求項２】
前記表示制御部は、
前記第１端末位置情報が示す自端末装置の位置から前記第３位置までの距離が所定の値より小さい場合、前記第１端末位置情報が示す位置の現在の通信品質を示す情報と、前記第１端末位置情報が示す位置の通信品質の予測を示す情報とのうち、少なくとも一つを前記表示部に表示させる
請求項１に記載の通信端末装置。
【請求項３】
前記表示制御部は、
前記第１端末位置情報が示す自端末装置の位置から前記第３位置までの距離が所定の値より大きい場合、前記第１端末位置情報が示す位置と、前記第３位置とを含む範囲の位置の通信品質を示す情報を前記表示部に表示させる
請求項１又は請求項２に記載の通信端末装置。
【請求項４】
自端末装置が移動する方向を示す方向情報を取得する方向情報取得部
を更に備え、
前記表示制御部は、
前記第１端末位置情報が示す自端末装置の位置から前記第３位置までの距離が所定の値より大きい場合、前記第１端末位置情報が示す位置と、前記第３位置とを含む範囲であって、前記第１端末位置情報が示す位置から前記方向情報が示す方向に離れた範囲の位置の通信品質を示す情報を前記表示部に表示させる
請求項１から請求項３のいずれか一項に記載の通信端末装置。
【請求項５】
請求項１から請求項４のいずれか一項に記載の通信端末装置と、情報配信装置とを備える情報配信システムであって、
前記情報配信装置は、
前記通信端末装置から前記第１端末位置情報及び前記第３位置を示す第３位置情報を受信する受信部と、
前記受信部が受信する前記第１端末位置情報及び前記第３位置情報に基づいて、前記第１端末位置情報が示す位置の通信品質を示す情報を前記通信端末装置に送信する送信部と、
を備える情報配信システム。
【請求項６】
コンピュータに
端末位置情報を取得する端末位置情報取得ステップと、
前記端末位置情報取得ステップが第１時刻に取得した前記端末位置情報である第１端末位置情報と、自端末装置の加速度を示す加速度情報又は前記第１時刻よりも過去の時刻である第２時刻から前記第１時刻までの自端末装置の変位を示す変位情報とのうち、少なくとも１つに基づいて、前記第１時刻よりも後の時刻である第３時刻の自端末装置の位置である第３位置を予測する予測ステップと、
前記予測ステップが予測した前記第３位置と、前記第１端末位置情報とに基づいて、前記第１端末位置情報が示す位置の通信品質を示す情報を表示ステップに表示させる表示制御ステップと、
を実行させるための通信端末プログラム。
【発明の詳細な説明】
【技術分野】
【０００１】
本発明は、通信端末装置、情報配信システム及び通信端末プログラムに関する。
【背景技術】
【０００２】
従来、通信端末は、待受中、通信中に関わらず受信電波環境を測定し、その結果に応じてアンテナピクト表示を変化させている。このアンテナピクト表示は、ユーザにその時点、その場所での通信品質の目安を示すものとなっている。アンテナピクト表示の基準となる受信電波環境としては、ＲＳＳＩ（受信電界強度）や、パイロットＥｃ／Ｉｏ（パイロット信号エネルギーと総エネルギーの比）、Ｃ／Ｉ（搬送波と干渉波のエネルギー比）等が利用される（例えば、特許文献１）。
【先行技術文献】
【特許文献】
【０００３】
【特許文献１】特開２００１−１７７８７０号公報
【発明の概要】
【発明が解決しようとする課題】
【０００４】
ここで、ユーザは、自分が存在する位置の当該通信端末の通信品質の変化や自分の移動先の通信品質を把握したいと考える場合がある。
しかしながら、従来の技術では、受信電波環境を表示することができても、通信品質まで表示することまでは困難である場合があった。
本発明は、上記問題に鑑みて為されたものであり、ユーザの位置や移動に応じた通信品質を表示することを目的とする。
【課題を解決するための手段】
【０００５】
（１）本発明の一態様は、自端末装置の位置を示す端末位置情報を取得する端末位置情報取得部と、前記端末位置情報取得部が第１時刻に取得した前記端末位置情報である第１端末位置情報と、前記第１時刻に取得した自端末装置の加速度を示す加速度情報又は前記第１時刻よりも過去の時刻である第２時刻から前記第１時刻までの自端末装置の変位を示す変位情報とに基づいて、前記第１時刻よりも後の時刻である第３時刻の自端末装置の位置である第３位置を予測する予測部と、前記予測部が予測した前記第３位置と、前記第１端末位置情報とに基づいて、前記第１端末位置情報が示す位置の通信品質を示す情報を表示部に表示させる表示制御部と、を備える通信端末装置である。
【０００６】
（２）本発明の一態様は、上記（１）に記載の通信端末装置において、前記表示制御部は、前記第１端末位置情報が示す自端末装置の位置から前記第３位置までの距離が所定の値より小さい場合、前記第１端末位置情報が示す位置の現在の通信品質を示す情報と、前記第１端末位置情報が示す位置の通信品質の予測を示す情報とのうち、少なくとも一つを前記表示部に表示させる。
【０００７】
（３）本発明の一態様は、上記（１）又は上記（２）に記載の通信端末装置において、  前記表示制御部は、前記第１端末位置情報が示す自端末装置の位置から前記第３位置までの距離が所定の値より大きい場合、前記第１端末位置情報が示す位置と、前記第３位置とを含む範囲の位置の通信品質を示す情報を前記表示部に表示させる。
【０００８】
（４）本発明の一態様は、上記（１）から上記（３）のいずれかに記載の通信端末装置において、自端末装置が移動する方向を示す方向情報を取得する方向情報取得部を更に備え、前記表示制御部は、前記第１端末位置情報が示す自端末装置の位置から前記第３位置までの距離が所定の値より大きい場合、前記第１端末位置情報が示す位置と、前記第３位置とを含む範囲であって、前記第１端末位置情報が示す位置から前記方向情報が示す方向に離れた範囲の位置の通信品質を示す情報を前記表示部に表示させる。
【０００９】
（５）本発明の一態様は、上記（１）から上記（４）のいずれかに記載の通信端末装置と、情報配信装置とを備える情報配信システムであって、前記情報配信装置は、前記通信端末装置から前記第１端末位置情報及び前記第３位置を示す第３位置情報を受信する受信部と、前記受信部が受信する前記第１端末位置情報及び前記第３位置情報に基づいて、前記第１端末位置情報が示す位置の通信品質を示す情報を前記通信端末装置に送信する送信部と、を備える情報配信システムである。
【００１０】
（６）本発明の一態様は、コンピュータに端末位置情報を取得する端末位置情報取得ステップと、前記端末位置情報取得ステップが第１時刻に取得した前記端末位置情報である第１端末位置情報と、前記第１時刻に取得した自端末装置の加速度を示す加速度情報又は前記第１時刻よりも過去の時刻である第２時刻から前記第１時刻までの自端末装置の変位を示す変位情報とに基づいて、前記第１時刻よりも後の時刻である第３時刻の自端末装置の位置である第３位置を予測する予測ステップと、前記予測ステップが予測した前記第３位置と、前記第１端末位置情報とに基づいて、前記第１端末位置情報が示す位置の通信品質を示す情報を表示ステップに表示させる表示制御ステップと、を実行させるための通信端末プログラムである。
【発明の効果】
【００１１】
本発明によれば、ユーザの位置や移動に応じた通信品質を表示することができる。
【図面の簡単な説明】
【００１２】
【図１】本実施形態の通信端末装置の概要の一例を示す図である。
【図２】本実施形態の通信端末装置及び情報配信装置の構成の一例を示す図である。
【図３】本実施形態のユーザが移動していない場合の表示部の表示の一例を示す図である。
【図４】本実施形態のユーザが移動している場合の表示部の表示の一例を示す図である。
【図５】本実施形態の通信端末装置の動作の一例を示す流れ図である。
【図６】変形例１の通信端末装置の構成の一例を示す図である。
【図７】変形例２の通信端末装置の構成の一例を示す図である。
【図８】変形例２のユーザが長距離を移動している場合の表示部の表示の一例を示す図である。
【発明を実施するための形態】
【００１３】
［実施形態］
以下、図を参照して本発明の実施形態について説明する。
図１は、本実施形態の通信端末装置１０の概要の一例を示す図である。通信端末装置１０とは、ユーザＵの操作に応じて、無線通信ネットワークである移動体通信網を介して通信を行う装置である。通信端末装置１０は、例えば、携帯電話、スマートフォン及びタブレット型のコンピュータ（タブレットＰＣ）等の携帯型のパーソナルコンピュータなどである。移動体通信網とは、例えば、ＬＴＥ（Ｌｏｎｇ  Ｔｅｒｍ  Ｅｖｏｌｕｔｉｏｎ）方式等の通信方式の携帯電話ネットワークである。なお、移動体通信網は、ＬＴＥ方式にしたがって構築された通信網に限られず、ＬＴＥ方式にしたがって構築された通信網以外の３Ｇ方式等の通信網であってもよい。移動体通信網は、複数の無線基地局（不図示）によって形成される。無線基地局は、通信端末装置１０が移動体通信網のエリア（不図示）内に在圏する場合に、通信端末装置１０と、無線基地局との間でＬＴＥ方式に従った無線通信を行うことができる。これにより、ユーザＵは、通信端末装置１０を使用し、移動体通信網を介してデータ通信や通話を行う。
【００１４】
ここで、エリアに在圏し、移動体通信網を使用して通信を行う通信端末装置１０及び通信端末装置１０以外の通信端末の数が多い場合又は移動体通信網を使用した通信のデータ量が多い場合、通信端末装置１０の通信品質が低下する場合がある。以下、通信端末装置１０及び通信端末装置１０以外の通信端末を総称して通信端末ＣＥと記載する。したがって、通信端末装置１０の通信品質は、エリアに在圏する通信端末ＣＥの数及び移動体通信網を使用して行われる通信のデータ量に影響される。具体的には、通信端末装置１０は、エリアに在圏する通信端末ＣＥの数が多い場合や移動体通信網を使用して行われる通信のデータ量が多い場合には、通信品質が不良であって、エリアに在圏する通信端末ＣＥの数が少ない場合や移動体通信網を使用して行われる通信のデータ量が少ない場合には、通信品質が良好である。
【００１５】
ユーザＵは、ある位置に留まって通信端末装置１０を使用する場合、当該ある位置の現在の通信品質や、当該ある位置の今後の通信品質を知りたい場合がある。
また、ユーザＵは、ある位置から移動した移動先の位置（以下、位置Ｐ３）に移動した後に通信端末装置１０を使用する場合、位置Ｐ３の通信品質を知りたい場合がある。
ここで、ユーザＵがある位置に留まっているか、移動しているかは、通信端末装置１０が備える加速度センサの検出結果を参照することによってわかる場合がある。以降の説明において、ユーザＵの移動に伴い通信端末装置１０が、所定の時間前に存在した位置（以下、位置Ｐ２）から現在の位置（以下、位置Ｐ１）までの移動に伴い、加速度センサが検出した通信端末装置１０の加速度を示す情報を加速度情報ＡＣと記載する。所定の時間とは、ユーザＵの移動に伴い通信端末装置１０が移動しているか否かを認識することが可能な時間である。所定の時間は、例えば、３０秒や１分程度の時間である。なお、所定の時間は、３０秒や１分以外の時間に代えて、他の時間であってもよい。
通信端末装置１０は、通信端末装置１０の位置を示す情報（以下、端末位置情報ＤＬ）と、加速度情報ＡＣとに応じて通信端末装置１０の位置の通信品質を表示する装置である。
【００１６】
＜通信端末装置と情報配信装置との接続について＞
以下、図２を参照して通信端末装置１０及び情報配信装置２０の構成について説明する。
図２は、本実施形態の通信端末装置１０及び情報配信装置２０の構成の一例を示す図である。
図２に示す通り、通信端末装置１０は、情報配信装置２０と移動体通信網を介して情報の送受信が可能に接続される。
【００１７】
＜情報配信装置の構成について＞
上述したように、情報配信装置２０は、移動体通信網に接続される装置である。図２に示す通り、情報配信装置２０は、制御部２００と、記憶部６００とを備える。記憶部６００には、予め通信品質取得情報ＣＱ１と、通信品質予測情報ＣＱ２とが記憶される。
【００１８】
＜通信品質情報について＞
通信品質取得情報ＣＱ１は、移動体通信網を使用して通信が可能な範囲（以下、通信範囲）の各位置に存在する通信端末ＣＥから取得した通信品質を示す情報に基づいて生成される情報である。
通信品質を示す情報とは、例えば、受信品質、再送回数及びデータ誤り率等である。受信品質とは、例えば、ＲＳＳ（Ｒｅｃｅｉｖｅｄ  Ｓｉｇｎａｌ  Ｓｔｒｅｎｇｔｈ：受信信号強度）、Ｃ／Ｉ（干渉波比）、Ｅｃ／Ｉｏ（隣接基地局送信レベル対現行基地局送信レベル）等によって示される。
具体的には、情報配信装置２０は、通信範囲に存在する通信端末ＣＥから当該通信端末ＣＥの通信品質を示す情報及び当該通信端末ＣＥの位置を示す情報を取得する。通信端末ＣＥは、通信端末ＣＥと、移動体通信網とを接続する無線基地局の情報に基づいて、Ａ−ＧＰＳ（Ａｓｓｉｓｔｅｄ−Ｇｌｏｂａｌ  Ｐｏｓｉｔｉｏｎｉｎｇ  Ｓｙｓｔｅｍ）を利用した方法や、当該無線基地局の位置情報による測位方式（以下、セルＩＤ方式）によって当該通信端末ＣＥの位置を示す情報を取得し、情報配信装置２０に送信する。なお、通信端末ＣＥは、ＧＰＳ（Ｇｌｏｂａｌ  Ｐｏｓｉｔｉｏｎｉｎｇ  Ｓｙｓｔｅｍ）、及び、準天頂衛星（ｑｕａｓｉ−ｚｅｎｉｔｈ  ｓａｔｅｌｌｉｔｅｓ：  ＱＺＳ）などの全地球航法衛星システム（Ｇｌｏｂａｌ  Ｎａｖｉｇａｔｉｏｎ  Ｓａｔｅｌｌｉｔｅ  Ｓｙｓｔｅｍ（ｓ）：  ＧＮＳＳ）を利用した既知の方法によって当該通信端末ＣＥの位置を示す情報を取得してもよい。また、情報配信装置２０は、取得した通信端末ＣＥの位置を示す情報と、当該通信端末ＣＥの通信品質を示す情報とを対応付けて通信品質取得情報ＣＱ１を生成し、記憶部６００に記憶する。したがって、通信品質取得情報ＣＱ１には、移動体通信網の各位置の通信品質に関する情報が示される。
また、通信品質予測情報ＣＱ２とは、移動体通信網を使用する通信端末ＣＥの通信品質の予測を示す情報であって、通信範囲の各位置の通信品質の予測を示す情報である。通信品質予測情報ＣＱ２は、例えば、通信品質取得情報ＣＱ１に基づいて予測され、生成される情報である。具体的には、情報配信装置２０は、通信品質取得情報ＣＱ１を蓄積し、統計処理を行うことによって通信品質予測情報ＣＱ２を生成する。通信品質予測情報ＣＱ２には、平日、休日、時間帯、移動体通信網に接続される通信端末ＣＥの台数等の特徴に基づく通信品質の予測であって、移動体通信網の各位置における通信品質の予測が示される。
以降の説明において、通信品質取得情報ＣＱ１及び通信品質予測情報ＣＱ２を区別しない場合には、総称して通信品質情報ＣＱと記載する。
【００１９】
この一例では、通信品質情報ＣＱは、通信の速度、通信のつながりやすさ、通信の途切れにくさ等の指標によって通信品質を評価し１〜３の３段階の値で評価され通信品質を示した情報である。通信品質情報ＣＱは、移動体通信網の通信品質が良好である場合、大きい値を示し、通信品質が不良である場合、小さい値を示す。
ここで、通信品質が良好であることを通信品質情報ＣＱが示す場合（例えば、通信品質情報ＣＱが「３」の場合）には、通信端末装置１０は、受信信号強度が大きく、信号対干渉雑音比が大きく、再送回数が少なく、データ誤り率が低く、スループットが高く、移動体通信網に接続される通信端末ＣＥの数が少ない。また、通信品質が不良であることを通信品質情報ＣＱが示す場合（例えば、通信品質情報ＣＱが「１」の場合）には、通信端末装置１０は、受信信号強度が小さく、信号対干渉雑音比が小さく、再送回数が多く、データ誤り率が高く、スループットが低く、移動体通信網に接続される通信端末ＣＥの数が多い。
なお、通信品質情報ＣＱは、３段階によって示される構成に代えて、３より多い段階によって示されてもよく、３より少ない段階によって示されてもよい。
【００２０】
＜制御部について＞
制御部２００は、ＣＰＵ（Ｃｅｎｔｒａｌ  Ｐｒｏｃｅｓｓｉｎｇ  Ｕｎｉｔ）を備えており、通信品質情報送信部２１０をその機能部として備える。
通信品質情報送信部２１０は、記憶部６００に記憶される通信品質情報ＣＱのうち、通信端末装置１０の要求に応じた通信品質情報ＣＱを送信する。
【００２１】
＜通信端末装置の構成について＞
通信端末装置１０は、制御部１００と、表示部ＤＰとを備える。表示部ＤＰとは、ディスプレイパネル等の表示装置である。表示部ＤＰは、制御部１００の制御に基づいて、画像ＰＣＴを表示する。
制御部１００は、ＣＰＵを備えており、端末位置情報取得部１１０と、加速度情報取得部１１５と、予測部１２０と、通信品質情報取得部１３０と、表示制御部１４０とをその機能部として備える。
【００２２】
端末位置情報取得部１１０は、通信端末装置１０の端末位置情報ＤＬを常時又は所定の時間毎に取得する。端末位置情報取得部１１０は、例えば、Ａ−ＧＰＳ、セルＩＤ方式、ＧＰＳ、及び、準天頂衛星などの全地球航法衛星システムによって端末位置情報ＤＬを取得する。
以降の説明において、ある時刻（以下、第１時刻Ｔ１）に端末位置情報取得部１１０が取得する端末位置情報ＤＬを第１端末位置情報ＤＬ１と記載する。第１時刻Ｔ１とは、例えば、現在の時刻である。また、この一例では、第１端末位置情報ＤＬ１が示す位置は、位置Ｐ１である。
端末位置情報取得部１１０は、取得した第１端末位置情報ＤＬ１を予測部１２０に供給する。
【００２３】
加速度情報取得部１１５は、通信端末装置１０が備える加速度センサ（不図示）から加速度情報ＡＣを取得する。加速度情報取得部１１５は、取得した加速度情報ＡＣを予測部１２０に供給する。
【００２４】
予測部１２０は、端末位置情報取得部１１０から第１端末位置情報ＤＬ１を取得する。また、予測部１２０は、加速度情報取得部１１５から加速度情報ＡＣを取得する。予測部１２０は、第１端末位置情報ＤＬ１が示す位置（位置Ｐ１）と、加速度情報ＡＣとに基づいて、ユーザＵ（通信端末装置１０）が所定の時間後に移動する位置（位置Ｐ３）を予測する。具体的には、予測部１２０は、位置Ｐ１から加速度情報ＡＣが示す加速度で所定の時間移動した後の位置を位置Ｐ３として予測する。予測部１２０は、予測した位置Ｐ３を示す情報と、第１端末位置情報ＤＬ１とを通信品質情報取得部１３０に供給する。
【００２５】
通信品質情報取得部１３０は、予測部１２０から位置Ｐ３を示す情報と、第１端末位置情報ＤＬ１とを取得する。通信品質情報取得部１３０は、取得した第１端末位置情報ＤＬ１が示す位置（位置Ｐ１）と、位置Ｐ３とに基づいて、位置Ｐ１の通信品質情報ＣＱを情報配信装置２０から取得する。以下、通信品質情報取得部１３０が取得する通信品質情報ＣＱの詳細について説明する。
【００２６】
＜通信品質情報：ユーザが移動していない場合＞
通信品質情報取得部１３０は、取得した第１端末位置情報ＤＬ１が示す位置（位置Ｐ１）から予測した位置Ｐ３までの距離（以下、予測距離ＤＦＬ１）が所定の値より小さい場合、位置Ｐ１の通信品質を示す情報（通信品質取得情報ＣＱ１）及び位置Ｐ１の通信品質の予測を示す情報（通信品質予測情報ＣＱ２）を情報配信装置２０から取得する。所定の値とは、ユーザＵ（通信端末装置１０）がある位置に留まることによって生じる変位を示す値である。所定の値は、例えば、１ｍ〜１０ｍ程度の距離を示す値である。換言すると、予測距離ＤＦＬ１が所定の値より小さい値を示す場合とは、ユーザＵ（通信端末装置１０）が、移動していない場合である。
【００２７】
なお、通信品質情報取得部１３０は、予測距離ＤＦＬ１が所定の値より小さい場合（ユーザＵ（通信端末装置１０）が、移動していない場合）、位置Ｐ１の通信品質情報ＣＱを取得する構成に代えて、位置Ｐ３の通信品質情報ＣＱを取得する構成であってもよい。
【００２８】
＜通信品質情報：ユーザが移動している場合＞
通信品質情報取得部１３０は、取得した情報に基づく予測距離ＤＦＬ１が所定の値より大きい場合、位置Ｐ１から位置Ｐ３までの距離（以下、距離ＤＳＴ１）だけ離れた位置を含む範囲ＡＲ１の通信品質を示す情報（通信品質取得情報ＣＱ１）を情報配信装置２０から取得する。予測距離ＤＦＬ１が所定の値より大きい場合とは、ユーザＵ（通信端末装置１０）が、移動している場合である。
【００２９】
通信品質情報取得部１３０は、上述した構成によって情報配信装置２０から取得した通信品質取得情報ＣＱ１及び通信品質予測情報ＣＱ２を表示制御部１４０に供給する。
【００３０】
表示制御部１４０は、通信品質情報取得部１３０から通信品質情報ＣＱを取得する。表示制御部１４０は、予測距離ＤＦＬ１に応じて、第１端末位置情報ＤＬ１が示す位置の通信品質情報ＣＱを表示部ＤＰに表示させる。具体的には、表示制御部１４０は、通信品質情報取得部１３０が予測距離ＤＦＬ１に応じて取得した通信品質情報ＣＱに基づいて、画像ＰＣＴを生成し、表示部ＤＰに表示させる制御を行う。以下、ユーザＵ（通信端末装置１０）が移動していない場合と、移動している場合との表示制御部１４０の表示部ＤＰの表示制御の詳細について説明する。
【００３１】
＜表示制御部：ユーザが移動していない場合＞
以下、図を参照して、ユーザＵが移動していない場合の表示制御部１４０の表示部ＤＰの表示制御について説明する。
図３は、本実施形態のユーザＵが移動していない場合の表示部ＤＰの表示の一例を示す図である。
表示制御部１４０は、通信品質情報取得部１３０から第１端末位置情報ＤＬ１が示す位置の通信品質取得情報ＣＱ１及び通信品質予測情報ＣＱ２を取得する。表示制御部１４０は、取得した通信品質取得情報ＣＱ１及び通信品質予測情報ＣＱ２が示す値に応じた画像ＰＣＴを生成し、表示部ＤＰに表示させる制御を行う。具体的には、表示制御部１４０は、第１端末位置情報ＤＬ１が示す位置の通信品質が、通信品質取得情報ＣＱ１から通信品質予測情報ＣＱ２に変化することを示す画像ＰＣＴを表示させる。より具体的には、表示制御部１４０は、第１端末位置情報ＤＬ１が示す位置の通信品質を、天気記号や天気を示す図によって示す画像ＰＣＴを表示部ＤＰに表示させる制御を行う。例えば、表示制御部１４０は、通信品質が良好である場合、「晴れ」を示す画像ＰＣＴを表示部ＤＰに表示させ、通信品質が不良である場合、「雨」を示す画像ＰＣＴを表示部ＤＰに表示させ、通信品質が良好でも不良でもない場合、「曇り」を示す画像ＰＣＴを表示部ＤＰに表示させる制御を行う。
この一例では、表示制御部１４０は、通信品質取得情報ＣＱ１が「２」であって、通信品質予測情報ＣＱ２が「１」である場合、画像ＰＣＴ１０を表示部ＤＰに表示させる制御を行う。画像ＰＣＴ１０は、例えば、第１端末位置情報ＤＬ１の位置の通信品質が、通信品質取得情報ＣＱ１に応じた「曇り」の画像ＰＣＴ１が示す通信品質から、通信品質予測情報ＣＱ２に応じた「雨」の画像ＰＣＴ２が示す通信品質に変化することを示す画像である。
【００３２】
なお、通信品質は、天気を示す画像ＰＣＴに代えて、速度を示す画像によって示されてもよい。この場合、通信品質は、当該通信品質が良好である場合、速度が速いことを示す画像によって示され、当該通信品質が不良である場合、速度が遅いことを示す画像によって示される。
また、表示制御部１４０は、第１端末位置情報ＤＬ１が示す位置の通信品質の予測を示す情報のみを示す画像ＰＣＴを生成し、表示部ＤＰに表示させてもよい。この場合、通信品質情報取得部１３０は、情報配信装置２０から通信品質予測情報ＣＱ２のみを取得する構成であってもよい。
【００３３】
＜表示制御部：ユーザが移動している場合＞
以下、図を参照して、ユーザＵが移動している場合の表示制御部１４０の表示部ＤＰの表示制御について説明する。
図４は、本実施形態のユーザＵが移動している場合の表示部ＤＰの表示の一例を示す図である。
表示制御部１４０は、通信品質情報取得部１３０から範囲ＡＲ１に含まれる位置の通信品質取得情報ＣＱ１を取得する。表示制御部１４０は、範囲ＡＲ１のうち、取得した通信品質取得情報ＣＱ１が示す値が同じ値である領域ＦＤを示す画像ＰＣＴ２０を生成し、表示部ＤＰに表示させる制御を行う。例えば、表示制御部１４０は、範囲ＡＲ１を含む地図の画像ＰＣＴであって、通信品質取得情報ＣＱ１の値が「１」である領域ＦＤ（以下、領域ＦＤ１）と、通信品質取得情報ＣＱ１の値が「２」である領域ＦＤ（以下、領域ＦＤ２）とを示す画像ＰＣＴ２０を表示部ＤＰに表示させる制御を行う。
【００３４】
なお、表示制御部１４０は、範囲ＡＲ１を含む地図の画像ＰＣＴ２０を通信端末装置１０の機能（アプリケーション）によって表示する構成であってもよい。この場合、表示制御部１４０は、通信品質と、地図とを表示するアプリケーションによって、画像ＰＣＴ２０を表示させてもよい。
また、画像ＰＣＴ２０は、通信品質取得情報ＣＱ１の値に応じた領域ＦＤ１及び領域ＦＤ２と、通信品質取得情報ＣＱ１の値が「３」である領域ＦＤ（以下、領域ＦＤ３）とを示す画像であってもよい。また、画像ＰＣＴ情報配信装置２０は、領域ＦＤ１、領域ＦＤ２及び領域ＦＤ３のうち、少なくともいずれか一つを示す画像であってもよい。
また、画像ＰＣＴ２０は、範囲ＡＲ１に含まれる位置の通信品質取得情報ＣＱ１を示す構成に代えて、範囲ＡＲ１の一部の位置の通信品質取得情報ＣＱ１を示す画像であってもよい。
また、通信品質情報取得部１３０は、予測距離ＤＦＬ１が上述した所定の値より大きい場合に通信品質取得情報ＣＱ１を取得する構成に代えて通信品質予測情報ＣＱ２を取得する構成であってもよい。この場合、表示制御部１４０は、範囲ＡＲ１のうち、取得した通信品質予測情報ＣＱ２が示す値が同じ値である領域ＦＤを示す画像ＰＣＴ２０を生成し、表示部ＤＰに表示させる構成であってもよい。この場合、ユーザＵは、移動先の位置の通信品質の予測を確認することができる。
また、表示制御部１４０は、画像ＰＣＴ１０及び画像ＰＣＴ２０を生成する構成に代えて、情報配信装置２０から画像ＰＣＴ１０及び画像ＰＣＴ２０を取得する構成であってもよい。この場合、情報配信装置２０は、通信端末装置１０から第１端末位置情報ＤＬ１及び位置Ｐ３を示す情報を取得し、取得した情報に基づく予測距離ＤＦＬ１を算出する。情報配信装置２０は、算出した予測距離ＤＦＬ１の値に応じた画像ＰＣＴ１０及び画像ＰＣＴ２０を生成し、通信端末装置１０に送信する。
【００３５】
＜通信端末装置のより具体的な動作の一例について＞
以下、通信端末装置１０のより具体的な動作の一例について説明する。通信端末装置１０は、画像ＰＣＴ２０を表示するアプリケーションを起動した際にユーザＵ（通信端末装置１０）が移動している場合、通信端末装置１０の現在位置（位置Ｐ１）を示す端末位置情報ＤＬ（第１端末位置情報ＤＬ１）と、位置Ｐ１の通信品質に関する情報を情報配信装置２０に供給するとともに、範囲ＡＲ１の通信品質情報ＣＱを情報配信装置２０から取得する。
情報配信装置２０は、範囲ＡＲ１の通信品質情報ＣＱと位置Ｐ１の周辺の地図とを重ね合わせた画像ＰＣＴ２０を生成し、通信端末装置１０に送信する。ここで、画像ＰＣＴ２０に示される地図が示す範囲は、通信端末装置１０が移動する速度に応じて、変化されることが好ましい。例えば、通信端末装置１０の移動する速度が速い場合、画像ＰＣＴ２０に示される地図の縮尺が小さい方が好ましく、当該速度が遅い場合、画像ＰＣＴ２０に示される地図の縮尺が大きい方が好ましい。ここで、通信端末装置１０が、情報配信装置２０から画像ＰＣＴ２０の送信されるタイミングは、アプリ起動時、通信端末装置１０のロック解除時、通信端末装置１０の表示部ＤＰの起動時、常時又は所定の時間間隔であってもよい。
また、通信端末装置１０は、画像ＰＣＴ２０として示される地図の情報を予め記憶する構成であってもよい。この場合、通信端末装置１０は、情報配信装置２０から取得する通信品質情報ＣＱに基づいて、範囲ＡＲ１の通信品質情報ＣＱと、位置Ｐ１の周辺の地図とを重ね合わせた画像ＰＣＴ２０を生成する。ここで、通信端末装置１０が予め記憶する地図の情報には、移動体通信網の通信範囲が含まれていることが好ましい。当該地図の情報には、移動体通信網の各無線基地局が発信する電波を受信可能なエリアが登録されていてもよい。この場合、通信端末装置１０は、情報配信装置２０から取得する通信品質情報ＣＱと、各無線基地局の識別情報を示す情報とを取得し、無線基地局毎の通信品質情報ＣＱを自ら生成してもよい。ここで、通信端末装置１０は、自ら生成した通信品質情報ＣＱを蓄積することによって、移動体通信網の通信品質情報ＣＱを自端末装置内において作成することができる。
また、通信端末装置１０は、通信端末装置１０の現在位置（位置Ｐ１）の通信品質よりも、通信品質が不良である位置に移動する前に、表示部ＤＰに画像ＰＣＴ１０や画像ＰＣＴ２０を表示する構成であってもよい。また、通信端末装置１０の現在位置（位置Ｐ１）の通信品質よりも、通信品質が良好である位置に移動する前に、表示部ＤＰに画像ＰＣＴ１０や画像ＰＣＴ２０を表示する構成であってもよい。また、通信端末装置１０は、ユーザＵが設定した通信品質よりも良好な通信品質の位置に近づくことに応じて、表示部ＤＰに画像ＰＣＴ１０や画像ＰＣＴ２０を表示する構成であってもよい。この場合、通信端末装置１０は、常時又は所定の間隔によって情報配信装置２０から通信品質情報ＣＱを取得し、取得した通信品質情報ＣＱが設定した通信品質よりも良好であるか否かを判定する。また、通信端末装置１０は、判定した結果に応じて、表示部ＤＰに画像ＰＣＴ１０や画像ＰＣＴ２０を表示する。
【００３６】
＜通信端末装置の動作について＞
以下、図を参照して通信端末装置１０の動作の詳細について説明する。
図５は、本実施形態の通信端末装置１０の動作の一例を示す流れ図である。
端末位置情報取得部１１０は、端末位置情報ＤＬ（第１端末位置情報ＤＬ１）を取得する（ステップＳ１１０）。加速度情報取得部１１５は、加速度情報ＡＣを取得する（ステップＳ１１５）。予測部１２０は、取得した端末位置情報ＤＬと、加速度情報ＡＣとに基づいて、位置Ｐ３を予測する（ステップＳ１２０）。表示制御部１４０は、取得した位置Ｐ１及び位置Ｐ３に基づく予測距離ＤＦＬ１が所定の値より大きい場合（ステップＳ１３０；ＹＥＳ）、情報配信装置２０から通信品質取得情報ＣＱ１を取得する（ステップＳ１４０）。また、表示制御部１４０は、取得した位置Ｐ１及び位置Ｐ３に基づく予測距離ＤＦＬ１が所定の値より小さい場合（ステップＳ１３０；ＮＯ）、通信品質取得情報ＣＱ１及び通信品質予測情報ＣＱ２を取得する（ステップＳ１５０）。表示制御部１４０は、予測距離ＤＦＬ１に応じて第１端末位置情報ＤＬ１が示す位置の通信品質を示す情報を表示部ＤＰに表示させる制御を行う（ステップＳ１６０）。
【００３７】
＜実施形態のまとめ＞
以上説明したように、本実施形態の通信端末装置１０は、端末位置情報取得部１１０と、加速度情報取得部１１５と、予測部１２０と、通信品質情報取得部１３０と、表示制御部１４０とを備える。端末位置情報取得部１１０は、通信端末装置１０の位置を示す端末位置情報ＤＬ（第１端末位置情報ＤＬ１）を取得する。加速度情報取得部１１５は、通信端末装置１０の加速度情報ＡＣを取得する。予測部１２０は、端末位置情報取得部１１０が第１時刻Ｔ１に取得した端末位置情報ＤＬである第１端末位置情報ＤＬ１と、第１時刻Ｔ１に取得した通信端末装置１０の加速度を示す加速度情報ＡＣとに基づいて、第１時刻Ｔ１よりも後の時刻である第３時刻Ｔ３の通信端末装置１０の位置である第３位置（位置Ｐ３）を予測する。通信品質情報取得部１３０は、予測部１２０が予測した第３位置と、第１端末位置情報ＤＬ１とに基づいて、第１端末位置情報ＤＬ１が示す位置の通信品質を情報配信装置２０から取得する。表示制御部１４０は、通信品質情報取得部１３０が取得する通信品質を表示部ＤＰに表示させる。
【００３８】
ここで、ユーザＵは、ある位置に留まって通信端末装置１０を使用する場合に、当該ある位置の通信品質の経時変化が知りたい場合がある。ユーザＵは、ある位置の通信品質の変化が分かる場合であって、当該ある位置の以降の通信品質が不良になる場合、通信品質が良好であるうちに通信しておくべき処理を行うことができる。また、ユーザＵは、ある位置の通信品質の変化が分かる場合であって、当該ある位置の以降の通信品質が良好になる場合、通信品質が良好になるまで通信が必要な処理を控えることにより、通信端末装置１０の処理に時間を要することを抑制することができる。
本実施形態の通信端末装置１０は、当該通信端末装置１０が存在する位置（位置Ｐ１）の現在の通信品質（通信品質取得情報ＣＱ１）と、通信品質の予測（通信品質予測情報ＣＱ２）を示すことによって、ユーザＵの位置に応じた通信品質を表示することができる。
【００３９】
また、ユーザＵは、ある位置から他の位置に移動しつつ通信端末装置１０を使用する場合、当該他の位置の通信品質が知りたい場合がある。ユーザＵは、他の位置の通信品質が分かる場合であって、当該他の位置の通信品質が不良である場合、通信品質が良好である位置において通信しておくべき処理を行うことができる。また、ユーザＵは、他の位置の通信品質が分かる場合であって、当該他の位置の通信品質が良好である場合、通信品質が良好な位置に移動するまで良好な通信品質が必要な処理を控え、通信端末装置１０の処理の時間を要することを抑制することができる。
本実施形態の通信端末装置１０は、当該通信端末装置１０が存在する位置（位置Ｐ１）から所定の時間後に移動する位置（位置Ｐ３）まで離れた位置を含む範囲ＡＲ１の通信品質（通信品質取得情報ＣＱ１）を示すことによって、ユーザＵの移動に応じた通信品質を表示することができる。上述したように、範囲ＡＲ１の通信品質には、位置Ｐ１の通信品質の他、情報配信装置２０が範囲ＡＲ１に存在する通信端末装置１０以外の通信端末ＣＥから取得した通信品質が含まれる。したがって、本実施形態の通信端末装置１０は、情報配信装置２０から範囲ＡＲ１の通信品質取得情報ＣＱ１を取得することによって、当該通信端末装置１０が取得可能な位置Ｐ１の通信品質以外の通信品質(この一例では、範囲ＡＲ１の通信品質)を表示部ＤＰに表示することができる。
【００４０】
［変形例１］
以下、図を参照して実施形態に係る変形例１について説明する。
実施形態では、第１時刻Ｔ１の第１端末位置情報ＤＬ１と、加速度情報ＡＣとに基づいて、位置Ｐ３を予測する場合について説明した。
変形例では、第１時刻Ｔ１より過去の時刻である第２時刻Ｔ２における端末位置情報ＤＬである第２端末位置情報ＤＬ２と、第１端末位置情報ＤＬ１とに基づいて、位置Ｐ３を予測する場合について説明する。
なお、上述した実施形態の構成と同様の構成については、同一の符号を付して説明を省略する。
【００４１】
＜通信端末装置の構成について＞
以下、図６を参照して通信端末装置１１の構成について説明する。
図６は、変形例１の通信端末装置１１の構成の一例を示す図である。
図６に示す通り、通信端末装置１１は、制御部１０１を備える。制御部１０１は、ＣＰＵを備えており、端末位置情報取得部１１０と、変位算出部１２５と、予測部１２０と、通信品質情報取得部１３０と、表示制御部１４０とをその機能部として備える。
変形例１では、端末位置情報取得部１１０は、第１端末位置情報ＤＬ１及び第２端末位置情報ＤＬ２を取得し、変位算出部１２５に供給する。ここで、第２端末位置情報ＤＬ２とは、第１時刻Ｔ１よりも過去の時刻である第２時刻Ｔ２に端末位置情報取得部１１０が取得した端末位置情報ＤＬである。また、この一例では、第２端末位置情報ＤＬ２が示す位置が位置Ｐ２である。
【００４２】
変位算出部１２５は、端末位置情報取得部１１０から第１端末位置情報ＤＬ１及び第２端末位置情報ＤＬ２を取得する。変位算出部１２５は、第１端末位置情報ＤＬ１が示す位置（位置Ｐ１）と、第２端末位置情報ＤＬ２が示す位置（位置Ｐ２）とに基づいて、変位距離ＤＰＬを算出する。変位算出部１２５は、算出した変位距離ＤＰＬを示す情報（以下、変位情報）と、第１端末位置情報ＤＬ１とを通信品質情報取得部１３０に供給する。
【００４３】
予測部１２０は、変位算出部１２５から第１端末位置情報ＤＬ１と、変位情報とを取得する。予測部１２０は、取得した第１端末位置情報ＤＬ１と、変位情報とに基づいて、位置Ｐ３を予測する。具体的には、予測部１２０は、位置Ｐ１から変位距離ＤＰＬだけ離れた位置を所定の時間後に移動した後の位置を位置Ｐ３として予測する。予測部１２０は、予測した位置Ｐ３を示す情報と、第１端末位置情報ＤＬ１とを通信品質情報取得部１３０に供給する。
以降の構成については上述の実施形態と同様であるため、説明を省略する。
【００４４】
＜変形例１のまとめ＞
以上説明したように、本実施形態の通信端末装置１１は、端末位置情報取得部１１０と、変位算出部１２５と、予測部１２０と、通信品質情報取得部１３０と、表示制御部１４０とを備える。端末位置情報取得部１１０は、通信端末装置１１の位置を示す端末位置情報ＤＬ（第１端末位置情報ＤＬ１及び第２端末位置情報ＤＬ２）を取得する。変位算出部１２５は、第１端末位置情報ＤＬ１及び第２端末位置情報ＤＬ２の変位距離ＤＰＬを算出し、変位情報として予測部１２０に供給する。予測部１２０は、第１端末位置情報ＤＬ１と、変位情報とに基づいて、第１時刻Ｔ１よりも後の時刻である第３時刻Ｔ３の通信端末装置１１の位置である第３位置（位置Ｐ３）を予測する。通信品質情報取得部１３０は、予測部１２０が予測した第３位置と、第１端末位置情報ＤＬ１とに基づいて、第１端末位置情報ＤＬ１が示す位置の通信品質を情報配信装置２０から取得する。表示制御部１４０は、通信品質情報取得部１３０が取得する通信品質を表示部ＤＰに表示させる。
【００４５】
変形例１の通信端末装置１１は、当該通信端末装置１１が存在する位置（位置Ｐ１）の現在の通信品質（通信品質取得情報ＣＱ１）と、通信品質の予測（通信品質予測情報ＣＱ２）を示すことによって、ユーザＵの位置に応じた通信品質を表示することができる。
また、変形例１の通信端末装置１１は、当該通信端末装置１１が存在する位置（位置Ｐ１）から距離ＤＳＴ１離れた位置を含む範囲ＡＲ１の通信品質（通信品質取得情報ＣＱ１）を示すことによって、ユーザＵの移動に応じた通信品質を表示することができる。
【００４６】
［変形例２］
以下、図を参照して実施形態に係る変形例２について説明する。
実施形態及び変形例１では、ユーザＵ（通信端末装置１０及び通信端末装置１１）が移動している場合、当該ユーザＵ（通信端末装置１０及び通信端末装置１１）の位置（位置Ｐ１）を含む範囲ＡＲ１の通信品質を示す場合について説明した。
変形例２では、通信端末装置１２がユーザＵ（通信端末装置１２）の移動先の位置（位置Ｐ３）を含む範囲ＡＲ２の通信品質を示す場合について説明する。
なお、上述した実施形態の構成と同様の構成については、同一の符号を付して説明を省略する。
【００４７】
＜通信端末装置の構成について＞
以下、図７を参照して通信端末装置１２の構成について説明する。
図７は、変形例２の通信端末装置１２の構成の一例を示す図である。
図７に示す通り、通信端末装置１２は、制御部１０２を備える。制御部１０２は、ＣＰＵを備えており、端末位置情報取得部１１０と、加速度情報取得部１１５と、予測部１２０と、通信品質情報取得部１３０と、表示制御部１４０と、方向情報取得部１５０とをその機能部として備える。
方向情報取得部１５０は、通信端末装置１２が備えるジャイロセンサ（不図示）から通信端末装置１２の進行方向を示す情報（以下、方向情報ＤＲ）を取得する。方向情報取得部１５０は、取得した方向情報ＤＲを通信品質情報取得部１３０に供給する。
【００４８】
通信品質情報取得部１３０は、第１端末位置情報ＤＬ１、加速度情報ＡＣ及び方向情報ＤＲに基づいて、第１端末位置情報ＤＬ１が示す位置（位置Ｐ１）から方向情報ＤＲが示す方向に離れた位置であって、所定の時間後に移動すると予測される位置（位置Ｐ３）を含む範囲ＡＲ２の通信品質を示す情報（通信品質取得情報ＣＱ１）を情報配信装置２０から取得する。方向情報ＤＲが示す方向に離れた位置とは、方向情報ＤＲが示す方向の成分を少なくとも含む方向に離れた位置である。例えば、方向情報ＤＲが南を示す場合、第１端末位置情報ＤＬ１が示す位置から南の方向成分を少なくとも含む（北の方向成分を含まない）方向に離れた位置である。この一例では、範囲ＡＲ２は、取得した第１端末位置情報ＤＬ１が示す位置（位置Ｐ１）から位置Ｐ３までの距離（以下、予測距離ＤＦＬ２）の半径を有する半円であって、方向情報ＤＲ方向に面積を有する半円によって示される範囲である。
この一例では、表示制御部１４０は、半円によって示される範囲ＡＲ２の一部であって、位置Ｐ１を含む扇形によって示される範囲（以下、範囲ＡＲ２−１）の通信品質を取得し、当該範囲の通信品質を表示部ＤＰに表示させる場合について説明する。
通信品質情報取得部１３０は、上述した構成によって情報配信装置２０から取得した範囲ＡＲ２−１に含まれる位置の通信品質取得情報ＣＱ１を表示制御部１４０に供給する。具体的には、情報配信装置２０は、通信端末装置１０から第１端末位置情報ＤＬ１、位置Ｐ３を示す情報及び方向情報ＤＲを取得し、範囲ＡＲ２（又は、範囲ＡＲ２−１）に含まれる位置を算出する。また、通信品質情報取得部１３０は、情報配信装置２０が算出した範囲ＡＲ２（又は、範囲ＡＲ２−１）の位置の通信品質（通信品質取得情報ＣＱ１）を取得する。
【００４９】
＜表示制御部：ユーザが移動している場合＞
以下、図を参照して、ユーザＵが移動している場合の表示制御部１４０の表示部ＤＰの表示制御について説明する。
図８は、変形例２のユーザＵが長距離を移動している場合の表示部ＤＰの表示の一例を示す図である。
表示制御部１４０は、通信品質情報取得部１３０から範囲ＡＲ２−１に含まれる位置の通信品質取得情報ＣＱ１を取得する。表示制御部１４０は、範囲ＡＲ２−１のうち、取得した通信品質取得情報ＣＱ１が示す値が同値である領域ＦＤを示す画像ＰＣＴ３０を生成し、表示部ＤＰに表示させる制御を行う。
【００５０】
なお、画像ＰＣＴ３０は、通信品質取得情報ＣＱ１の値に応じた領域ＦＤ１及び領域ＦＤ２と、通信品質取得情報ＣＱ１の値が「３」である領域ＦＤ（以下、領域ＦＤ３）とを示す画像であってもよい。また、画像ＰＣＴ情報配信装置２０は、領域ＦＤ１、領域ＦＤ２及び領域ＦＤ３のうち、いずれか一つを示す画像であってもよい。
また、画像ＰＣＴ３０は、範囲ＡＲ２−１に含まれる位置の通信品質取得情報ＣＱ１を示す構成に代えて、範囲ＡＲ２に含まれる位置の通信品質取得情報ＣＱ１を示す画像であってもよい。
また、範囲ＡＲ２には、通信端末装置１２の現在の位置（位置Ｐ１）が含まれていなくてもよい。
また、画像ＰＣＴ３０は、範囲ＡＲ２−１に含まれる位置の通信品質取得情報ＣＱ１を示す構成に代えて、通信品質予測情報ＣＱ２を示す構成であってもよい。この場合、ユーザＵは、画像ＰＣＴ３０に示される通信品質予測情報ＣＱ２の特徴を指定してもよい。例えば、ユーザＵは、ユーザＵが指定した時刻の通信品質予測情報ＣＱ２を画像ＰＣＴ３０として表示させる構成であってもよく、範囲ＡＲ２−１の平日の通信品質予測情報ＣＱ２を表示させる構成であってもよく、範囲ＡＲ２−１の休日の通信品質予測情報ＣＱ２を表示させる構成であってもよい。
【００５１】
＜変形例２のまとめ＞
以上説明したように、変形例２の通信端末装置１２は、当該通信端末装置１２が移動する方向を示す方向情報ＤＲを取得する。また、変形例２の通信端末装置１２は、変位距離ＤＰＬが所定の値より大きい場合、第１端末位置情報ＤＬ１が示す位置（位置Ｐ１）から方向情報ＤＲが示す方向に所定の時間後に移動する位置（位置Ｐ３）を含む範囲ＡＲ２のうち、少なくとも一部の範囲（以下、範囲ＡＲ２−１）の位置の通信品質を示す情報（通信品質取得情報ＣＱ１）を表示部ＤＰに表示させる。
【００５２】
ここで、ユーザＵは、ある位置から他の位置に比較的速い速度で移動しつつ通信端末装置１２を使用する場合、当該他の位置の通信品質が知りたい場合がある。ユーザＵは、他の位置の通信品質が分かる場合であって、当該他の位置の通信品質が不良である場合、通信品質が良好である位置において通信しておくべき処理を行うことができる。また、ユーザＵは、他の位置の通信品質が分かる場合であって、当該他の位置の通信品質が良好である場合、通信品質が良好な位置に移動するまで良好な通信品質が必要な処理を控え、通信端末装置１２の処理の時間を要することを抑制することができる。
変形例２の通信端末装置１２は、当該通信端末装置１２が存在する位置（位置Ｐ１）から方向情報ＤＲが示す方向であって、所定の時間後に移動すると予測される位置（位置Ｐ３）を含む範囲ＡＲ２−１の通信品質（通信品質取得情報ＣＱ１）を示すことによって、ユーザＵの移動に応じた通信品質を表示することができる。
【００５３】
なお、上述では、通信品質情報取得部１３０が、加速度情報ＡＣ又は変位情報と、位置Ｐ３とに基づいて、情報配信装置２０から通信品質情報ＣＱを取得する場合について説明したが、これに限られない。例えば、情報配信装置２０が通信端末装置１０から取得する加速度情報ＡＣ又は変位情報と、位置Ｐ３とに基づいて、通信品質情報ＣＱを送信する構成であってもよい。この場合、情報配信装置２０は、受信部と、送信部とを備える。受信部は、通信端末装置１０、通信端末装置１１及び通信端末装置１２から第１端末位置情報ＤＬ１及び位置Ｐ３を示す情報（以下、第３位置情報）を受信する。送信部は、受信した第１端末位置情報ＤＬ１及び第３位置情報に基づいて、第１端末位置情報ＤＬ１が示す位置（位置Ｐ１）の通信品質情報ＣＱを通信端末装置１０、通信端末装置１１及び通信端末装置１２に送信する。
【００５４】
なお、上記の各実施形態における通信端末装置１０、通信端末装置１２及び情報配信装置２０が備える各部は、専用のハードウェアにより実現されるものであってもよく、また、メモリおよびマイクロプロセッサにより実現させるものであってもよい。
【００５５】
なお、通信端末装置１０、通信端末装置１２及び情報配信装置２０が備える各部は、メモリおよびＣＰＵ（中央演算装置）により構成され、通信端末装置１０、通信端末装置１２及び情報配信装置２０が備える各部の機能を実現するためのプログラムをメモリにロードして実行することによりその機能を実現させるものであってもよい。
【００５６】
また、通信端末装置１０、通信端末装置１１及び情報配信装置２０が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００５７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００５８】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００５９】
１０、１１、１２…通信端末装置、２０…情報配信装置、１００、１０１、１０２、２００…制御部、１１０…端末位置情報取得部、１１５…加速度情報取得部、１２０…予測部、１２５…変位算出部、１３０…通信品質情報取得部、１４０…表示制御部、１５０…方向情報取得部、２１０…通信品質情報送信部、６００…記憶部、ＤＰ…表示部、ＣＥ…通信端末、ＡＣ…加速度情報、ＡＲ１、ＡＲ２、ＡＲ２−１…範囲、ＣＱ…通信品質情報、ＣＱ１…通信品質取得情報、ＣＱ２…通信品質予測情報、ＤＦＬ１、ＤＦＬ２…予測距離、ＤＬ…端末位置情報、ＤＬ１…第１端末位置情報、ＤＬ２…第２端末位置情報、ＤＰＬ…変位距離、ＤＲ…方向情報、ＦＤ、ＦＤ１、ＦＤ２、ＦＤ３…領域、Ｐ１、Ｐ２、Ｐ２−１、Ｐ２−２、Ｐ２−３、Ｐ３…位置、Ｔ１…第１時刻、Ｔ２…第２時刻、Ｔ３…第３時刻
【図１】
2018078504.tif 000003
【図２】
2018078504.tif 000004
【図３】
2018078504.tif 000005
【図４】
2018078504.tif 000006
【図５】
2018078504.tif 000007
【図６】
2018078504.tif 000008
【図７】
2018078504.tif 000009
【図８】
2018078504.tif 000010